(57)【要約】【課題】電気機器収納用箱の屋根をつたって流れ落ちる雨水が電気機器収納用箱内に侵入することを抑制すること。【解決手段】屋根１１を備えた電気機器収納用箱１であって、屋根１１の外側に突出する雨返し部２１を備え、雨返し部２１と屋根１１の側面がなす角度が鈍角である電気機器収納用箱１とする。【選択図】図２
2019013081.tif 000002
【特許請求の範囲】
【請求項１】
屋根を備えた電気機器収納用箱であって、
屋根の外側に突出する雨返し部を備え、
雨返し部と屋根の側面がなす角度が鈍角である電気機器収納用箱。
【請求項２】
雨返し部を備えた雨返し部材が、屋根の下面に取り付けられた請求項１に記載の電気機器収納用箱。
【請求項３】
雨返し部を備えた雨返し部材には、屋根への取り付けに用いられる部位として、長孔と切り欠きを備えた請求項１又は２に記載の電気機器収納用箱。
【発明の詳細な説明】
【技術分野】
【０００１】
本発明は、電気機器収納用箱に関するものである。
【背景技術】
【０００２】
特許文献１に記載されているように、屋根を備えた電気機器収納用箱が知られている。このような形態の電気機器収納用箱の屋根の下方端部は、扉側に向けて屈曲した曲げ部が設けられていることが多い。
【先行技術文献】
【特許文献】
【０００３】
【特許文献１】特開２０１０−８１７３０号公報
【０００４】
ところで、雨水が屋根をつたって流れ落ちるときに、屋根の端部から真下方向には落ちず、屋根の下方端部に設けられた曲げ部をつたって流れ落ちる。このため、雨天時に扉を開けて作業をすると、雨水が箱内部に流れ落ち、箱内部に配置された機器を濡らしてしまう虞があった。
【発明の概要】
【発明が解決しようとする課題】
【０００５】
本件の発明者は、この点について鋭意検討することにより、解決を試みた。本発明の課題は、電気機器収納用箱の屋根をつたって流れ落ちる雨水が電気機器収納用箱内に侵入することを抑制することである。
【課題を解決するための手段】
【０００６】
上記課題を解決するため、屋根を備えた電気機器収納用箱であって、屋根の外側に突出する雨返し部を備え、雨返し部と屋根の側面がなす角度が鈍角である電気機器収納用箱とする。
【０００７】
また、雨返し部を備えた雨返し部材が、屋根の下面に取り付けられた構成とすることが好ましい。
【０００８】
また、雨返し部を備えた雨返し部材には、屋根への取り付けに用いられる部位として、長孔と切り欠きを備えた構成とすることが好ましい。
【発明の効果】
【０００９】
本発明では、電気機器収納用箱の屋根をつたって流れ落ちる雨水が電気機器収納用箱内に侵入することを抑制することが可能となる。
【図面の簡単な説明】
【００１０】
【図１】実施形態の電気機器収納用箱の斜視図である。
【図２】実施形態の電気機器収納用箱の側面図である。
【図３】図２の屋根と雨返し部周りの部分拡大図である。
【図４】屋根に取り付けられた雨返し部材周りを下方向から見た図である。
【図５】雨返し部材の斜視図である。
【発明を実施するための形態】
【００１１】
以下に発明を実施するための形態を示す。図１乃至図３に示されていることから理解されるように、本実施形態の電気機器収納用箱１は、屋根１１を備えている。また、屋根１１の外側に突出する雨返し部２１を備え、雨返し部２１と屋根１１の側面がなす角度θが鈍角となるように構成されている。このため、電気機器収納用箱１の屋根１１をつたって流れ落ちる雨水が電気機器収納用箱１内に侵入することを抑制することが可能となる。
【００１２】
本実施形態の電気機器収納用箱１は、特に屋外で使用されるキュービクル式高圧受電設備であり、上面が傾斜した屋根１１を備えている。また、前後各々に配置した矩形状の枠部材で区画された開口を覆うように扉が取り付けられる。この矩形状の枠部材の各々を繋ぐように前後方向に延びる梁が接続されており、この梁と枠部材で骨格が形成されている。
【００１３】
実施形態の屋根１１に設けられる雨返し部２１は、扉１２のある側の屋根１１の側面から突出しており、屋根１１の側面から伝ってきた雨水を更に外方に向けて移動させることができる。より詳しくは、屋根１１の側面と雨返し部２１で形成する角θが鈍角となるように構成しており、雨返し部２１を伝って流れ落ちた雨水が、扉１２側へ流れることを防ぐことができる。なお、雨返し部２１を設ける位置は、屋根１１の側面の下側端部から突出するように形成することが好ましい。
【００１４】
雨返し部２１を屋根１１とは別部材により構成すれば、既設の電気機器収納用箱１の屋根１１に雨返し部２１を後付けすることができ、雨水が箱内部に浸入することを防ぐことができる。例えば、図３又は図４に示すことから理解されるように、雨返し部２１を備えた雨返し部材２を屋根１１の下面に取り付けるようにすればよい。このようにすれば、屋根１１の側面に雨返し部材２を固定した場合よりも、止め金具などを挿入する固定部に雨水が溜まりにくくなる。また、固定部に雨水が溜まりにくいため、錆の発生を抑制することにもなる。
【００１５】
ところで、断面略コ字状に形成された屋根１１の上面には、吊り上げ用のアイボルト９１が固定される。屋根１１の下部に設けた面の内側には、通気用孔板１３が設けられ、屋根１１の下部に設けた面に対してボルト９３を用いて固定されている。そこで、実施形態では、雨返し部２１を備えた雨返し部材２は通気用孔板１３が固定されるボルト９３を利用し、屋根１１に対して通気用孔板１３と共締めにて固定している。このようにすれば部品点数を削減でき、電気機器収納用箱１に穴あけ加工する必要がなくなる。なお、この通気用孔板１３には通気用孔１４が複数設けられ、通気を可能としながら、異物の侵入を抑制している。
【００１６】
図５に示すことから理解されるように、本実施形態の雨返し部材２には、２つの取り付け孔が設けられており、そのうちの１つは長孔２３、もう一つは切り欠き２５としている。屋根１１への取り付けに用いるために、切り欠き２５を備えるようにすれば、通気用孔板１３を固定しているボルト９３を緩めた状態で、切り欠き２５内にボルト９３が位置するように雨返し部材２を移動させることで、雨返し部材２を仮固定できる。この状態にすれば、その後に長孔２３にボルト９３を挿入しやすくなるため、取り付けの作業性を良くすることができる。
【００１７】
また、屋根１１への取り付けに用いるために、長孔２３を備えるようにすれば、雨返し部材２を固定した後、内部機器の振動等に起因して、ボルト９３が緩んでしまった場合にも、長孔２３の部位付近は、ボルト９３が脱落するまで、雨返し部材２を保持するため、雨返し部材２は脱落し難くなる。つまり、屋根１１への取り付けに用いる取り付け孔として、長孔２３と切り欠き２５の双方を備えるようにすれば、取り付けの作業性を良くするとともに、雨返し部材２の脱落の抑制をすることができる。
【００１８】
本実施形態の雨返し部２１は、扉１２のある側の屋根１１の側面から斜め下方に突出するように設けられている。なお、実施形態の屋根１１の側面は、略垂直方向に延びるように設けられており、屋根１１の下面は略水平方向に延びるように設けられている。実施形態では、屋根１１の下面に雨返し部材２を取り付けることで、雨返し部２１を設けているが、この雨返し部２１は平板を鈍角状に１回屈曲することで設けられており、その下端となる部分が、斜め下方に延びるように設けられている。このため、雨返し部２１は、上部から勢いよく流れ落ちてきた雨水を、滑り落ちてきた方向のまま、その下端から斜め下方に向けて外方に放出することも可能となる。つまり、電気機器収納用箱１から遠ざかるように雨水を放出することも可能となる。なお、２つの平面が連なるような形態として構成された雨返し部材２には、雨返し部２１ではない側の面に長孔２３と切り欠き２５が設けられている。
【００１９】
以上、一つの実施形態を中心として説明してきたが、本発明は上記実施形態に限定されることはなく、各種の態様とすることが可能である。例えば、雨返し部は、屋根とは別部材とすることに限ることはなく、屋根と一体的に形成されていても構わない。
【００２０】
取り付け孔は２個ではなく、３個以上でもよい。なお、取り付け孔が３個以上の場合、取り付け孔は長孔形状のものよりも切り欠き形状のものを多くすると、取り付けやすくなる。
【００２１】
雨返し部は、屋根の側面の下端から外方に突出する必要は無く、屋根の側面の上端と下端の間の位置から外方に突出するような形態とすることも可能である。
【符号の説明】
【００２２】
１  電気機器収納用箱
２  雨返し部材
１１  屋根
２１  雨返し部
２３  長孔
２５  切り欠き
【図１】
2019013081.tif 000003
【図２】
2019013081.tif 000004
【図３】
2019013081.tif 000005
【図４】
2019013081.tif 000006
【図５】
2019013081.tif 000007